(57)【要約】      （修正有）【課題】化粧溶液の吐出及び遮断を自由に調節する事が出来る様にした化粧品容器の化粧溶液吐出誘導具の構造を提供する。【解決手段】内側胴体10を押すことによって発生する空気圧によって中間部材28を構成する円錐形弾性部33が圧縮されると同時に開閉バルブ29が移動して内側孔30が開放され、液状の化粧溶液が垂直・水平吐出誘導溝29a，29b及び溶液移送路36を通って吐出具54を経てブラシ56側に吐出する。操作力の解除により、円錐形弾性部33の膨脹力とスプリング34の弾発力によって内側胴体10が下降復帰して、開閉バルブ29の上部に形成された傾斜面29cによって内側孔30が閉鎖されて化粧溶液が吐出されない様になり、内側胴体10の押さえと解除によって中間部材28に形成された円錐形弾性部33とスプリング34が圧縮及び弾発して化粧溶液の吐出及び遮断を自由に調節する事が出来る様にしたものである。【選択図】図３
2008023310.tif 000002
【特許請求の範囲】
【請求項１】
内側胴体(10)の外部に蓋(60)を結合する外側胴体(50)が嵌込み結合されて構成した化粧品容器の化粧溶液吐出誘導具の構造において、上記内側胴体(10)の上部にねじ結合される結合部材(24)と開閉バルブ(29)を持つ中間部材(28)及び嵌込み部材(35)で結合構成される吐出誘導具(20)を構成するが、上記結合部材(24)の上部中央には結合部材孔(25)を形成させて周囲部に中間部材結合部(26)が形成されて、下部には上記内側胴体(10)の内側上部に結合されるねじ結合部(27)が形成され、上記中間部材(28)は内側に開閉バルブ(29)が内設される内側孔(30)が形成されて上部に上部外側ねじ部(31)が形成されて、下部に上記結合部材(24)に形成された中間部材結合部(26)に結合される下部外側ねじ部(32)を形成して周囲部にスプリング(34)が設置され、上記嵌込み部材(35)は内側に溶液移送路(36)が形成され、下部に上記中間部材(28)の上部に形成された上部外側ねじ部(31)に結合される下部内側ねじ部(37)を形成して上記外側胴体(50)の上部内側に形成された嵌込み部(52)に溶液移送路(36)が嵌込み結合されて構成されたことを特徴とする化粧品容器の化粧溶液吐出誘導具の構造。
【請求項２】
内側胴体(10)の上部にねじ結合される結合部材(24)と開閉バルブ(29)を持つ中間部材(28)及び嵌込み部材(35)に結合構成される吐出誘導具(20)を持つ化粧用液状容器において、上部中央には結合部材孔(25)を形成させて周囲部にチューブ結合部(26a)が形成され、下部には上記内側胴体(10)の内側上部に結合されるねじ結合部(27)が形成された結合部材(24)と、上記結合部材(24)の上部に形成されるが、内側に開閉バルブ(29)が内設される内側孔が形成され上部に内側嵌込み部が形成され、周囲部に外側嵌込み部が形成されて皺形チューブ(33a)の上端部が嵌込み固定されて、上記皺形チューブ(33a)の下端部は上記結合部材(24)に形成されたチューブ結合部(26a)に嵌込み結合された中間部材(28)と、上記中間部材(28)の内側嵌込み部に下端部が嵌込み固定されて外側胴体(50)の上部内側に形成された嵌込み部で溶液移送路(36)が挟まる嵌込み部材(35)に結合された吐出誘導具(20a)で構成されたことを特徴とする化粧品容器の化粧溶液吐出誘導具の構造。
【発明の詳細な説明】
【技術分野】
【０００１】
本発明は化粧品容器の化粧溶液吐出誘導具の構造に関するもので、内側胴体を押すことによって内側胴体が上下昇降し、この昇降移動に伴う空気圧によって中間部材を構成している円錐形弾性部が圧縮されると同時に開閉バルブが移動して内側孔が開放され、液状の化粧溶液が上記開閉バルブの上下に形成された垂直・水平吐出誘導溝及び溶液移送路を経て吐出具に移送されてブラシ側に吐出し、操作力を解除することで上記円錐形弾性部の膨脹力とスプリングの弾発力によって内側胴体が下降して復帰し、開閉バルブの上部に形成された傾斜面によって内側孔が閉鎖されて化粧溶液が吐出されない様にしたもので、上記内側胴体の押さえと解除によって中間部材に形成された円錐形弾性部とスプリングが圧縮及び弾発して化粧溶液の吐出及び遮断を自由に調節する事ができ、内側胴体と結合部材の組立、解体が容易で内側胴体に収容された化粧溶液の消尽時に内側胴体を分離して開いて化粧溶液を補充して再充填使用が可能な様にしたものである。
【背景技術】
【０００２】
従来の液状化粧品容器はチューブ形容器の上部に開口部を形成して単純に化粧品ブラシを固定させて構成してあり、チューブ形容器を加圧及び解除させる事でチューブ形容器の内部に貯蔵された化粧品溶液が直接化粧ブラシに吐出含浸して化粧をする事が出来る様にしているが、上記の様な液状化粧品容器は不注意でチューブ形容器を押え付けられると不測に化粧品溶液が漏出されるということが頻繁に生じ、携帯、保管が容易でないという欠点があった。
【０００３】
また、上記の様な欠点を解消しようとして溶液を貯蔵する容器を硬いハード形材質の容器にするか、内・外側胴体で構成して上記内側胴体の上部に吐出誘導具を内設して、外側胴体の上部に化粧用ブラシを備えて内側胴体の押さえによって化粧用ブラシ側に内側胴体に貯蔵された化粧溶液が吐出される構造の液状化粧品容器も使用されている。
【発明の開示】
【発明が解決しようとする課題】
【０００４】
しかし、上記の様に構成された従来の液状化粧品容器は液状化粧溶液を吐出させる動作を繰り返し使用しておれば、内・外側胴体の加圧及び解除によって加圧されて収縮された内・外側胴体が本来の状態に自然的に復元が出来なくなり、不注意に保管した場合には化粧溶液が漏出されて周辺を汚染させたり毀損させるという欠点があった。
【０００５】
本発明は上記の様な従来の欠点を解決しようとするもので、内側胴体と結合部材の組立、解体が容易で内側胴体に収容された化粧溶液の消尽時に内側胴体を分離して、開いて化粧溶液を補充して再充填使用が出来るようにした化粧品容器の化粧溶液吐出誘導具の構造を提供しようとするものである。
【課題を解決するための手段】
【０００６】
上述の目的を達成するために、本発明は、内側胴体の外部に蓋が結合する外側胴体を嵌込み結合して構成した化粧品容器の化粧溶液吐出誘導具(20)の構造において、上記内側胴体の上部にねじ結合される結合部材と開閉バルブを持つ中間部材及び嵌込み部材で結合構成される吐出誘導具を構成するが、上記結合部材の上部中央には結合部材孔を形成させて周囲部に中間部材結合部が形成されて、下部には上記内側胴体の内側上部に結合されるねじ結合部が形成され、上記中間部材は内側に開閉バルブが内設される内側孔が形成され上部に上部外側ねじ部が形成され、下部に上記結合部材に形成された中間部材結合部に結合される下部外側ねじ部を形成して周囲部にスプリングが設置され、上記嵌込み部材は内側に溶液移送路が形成され、下部に上記中間部材の上部に形成された上部外側ねじ部に結合される下部内側ねじ部を形成して上記外側胴体の上部内側に形成された嵌込み部に溶液移送路が嵌込み結合されて構成したことを特徴とする。
【０００７】
このように構成した化粧溶液吐出誘導具では、内側胴体を押し込む事によって内側胴体が上下昇降することにより発生する空気圧によって、中間部材を構成している円錐形弾性部が圧縮されるとともに、開閉バルブが移動されて内側孔が開放され、液状の化粧溶液が上記開閉バルブの上下に形成された垂直・水平吐出誘導溝及び溶液移送路を経て吐出具に移送されてブラシ側に吐出し、操作力を解除することで上記円錐形弾性部の膨脹力とスプリングの弾発力によって内側胴体が下降して復帰し、開閉バルブの上部に形成された傾斜面によって内側孔が閉鎖されて化粧溶液が吐出されない様にしたもので、上記内側胴体の押さえと解除によって中間部材に形成された円錐形弾性部とスプリングが圧縮及び弾発して化粧溶液の吐出及び遮断を自由に調節する事ができる。
【発明の効果】
【０００８】
上記の様に構成された本発明に係る、化粧品容器は内側胴体を押し込むことによって内側胴体が上・下昇降することにより発生する空気圧によって、中間部材を構成する円錐形弾性部が圧縮されると同時に開閉バルブが移動されて内側孔が開放され、液状の化粧溶液が上記開閉バルブの上・下部に形成された垂直・水平吐出誘導溝及び溶液移送路を経由して吐出具に移送されてブラシ側に吐出させ、操作力を解除することで上記円錐形弾性部の膨張力とスプリングの弾発力によって内側胴体が下降して復帰し、開閉バルブの上部に形成された傾斜面によって内側孔が閉鎖されて化粧溶液が吐出されないようなるので、上記内側胴体を押すことと解除することによって中間部材に形成された円錐形弾性部とスプリングが圧縮あるいは弾発して化粧溶液の吐出及び遮断を自由に調節する事が出来るようになる。そして、 内側胴体と結合部材の組立、解体が容易で内側胴体に収容された化粧溶液の消尽時に内側胴体を分離して、開いて化粧溶液を補充して再充填使用が可能な様にしたものである。
【発明を実施するための最良の形態】
【０００９】
以下、添付された図面を参考にしてもう少し詳しく説明すれば次の様である。
本発明は図２乃至図４に示すように、内側胴体(10)の内側には溶液を収容する収容部(11)が形成され、上部内側周囲部には内側ねじ部(12)が形成される。この様に形成された内側胴体(10)の上部に形成された内側ねじ部(12)には結合部材(24)がねじ結合されて構成されている。この結合部材(24)は、その下部に前記内側胴体(10)に形成した内側ネジ部(12)と螺合するねじ結合部(27)が形成されるとともに、上部中央に結合部材孔(25)が形成され、この結合部材孔(25)を取り囲む状態で中間部材結合部(26)が形成してある。
【００１０】
上記の様に結合構成された結合部材(24)の上部に形成された中間部材結合部(26)には、中間部材(28)が螺着固定してある。この中間部材(28)は、中間部での内側に開閉バルブ(29)が内設される内側孔(30)を形成するとともに、その中間部での周囲にスプリング(34)を
設置可能とし、上部に上部外側ねじ部(31)、下部に下部外側ねじ部(32)がそれぞれ形成された構成になっている。
【００１１】
上記の開閉バルブ(29)は、図２に示したように、上部には水平吐出誘導溝(29b)及び傾斜面(29c)が形成され、下部には垂直吐出誘導溝(29a)が形成されて化粧溶液の移送を補助する。また、上記の中間部材(28)の上部に形成された上部外側ねじ部(31)には溶液移送路(36)と下部内側ねじ部(37)とが形成されている嵌込み部材(35)の上記下部内側ねじ部(37)がねじ結合されることで吐出誘導具(20)が構成される。
【００１２】
従って、上記内側胴体(10)の上部には結合部材(24)、中間部材(28)、嵌込み部材(35)が結合されて構成された吐出誘導具(20)が組みつけられ、この吐出誘導具(20)の上部に嵌込み部(52)及び吐出具(54)を備えたブラシ(56)が形成されている外側胴体(50)が結合される。この場合、上記嵌込み部材(35)の上部に形成された溶液移送路(36)が上記外側胴体(50)の上部内側に形成された嵌込み部(52)に嵌込み固定されて結合構成され、外側胴体(50)の上部に蓋(60)が嵌込み固定されることで、本発明の様な吐出誘導具(20)を持つ化粧品容器(１)の組立が完了されるのである。
【００１３】
以上の様に構成された本発明の作用效果を説明すれば次の様である。
図３に示すように、本発明の化粧品容器(１)は平常時には内側胴体(10)の下端部に力を加えない状態で、外側胴体(50)の内側で内側胴体(10)が下降されており、上記外側胴体(50)の上部に蓋(60)が結合されて閉じられた状態をしている。
【００１４】
また、中間部材(28)に内装されている開閉バルブ(29)は、その上端部分に形成された傾斜面(29c)が中間部材(28)の内側孔(30)での上端周囲部に触れた状態で閉鎖された状態を維持しており、下部に形成された垂直吐出誘導溝(29a)は結合部材(24)の結合部材孔(25)で貫通されて上記結合部材孔(25)が開放された状態をしている。
【００１５】
上記の様に開閉バルブ(29)の傾斜面(29c)によって内側孔(30)が閉鎖された状態で内側胴体(10)の下端部を押えるようにすると、中間部材(28)に形成された円錐形弾性部(33)が圧縮されながら内側胴体(10)は外側胴体(50)の内部に上昇移動する様になる。
【００１６】
この時、内側胴体(10)の内部に内設された圧縮ホルダー(14)によって上記化粧溶液が収容された内側胴体(10)の収容部(11)は圧縮状態になるに従って、上記の様に内側胴体(10)が上昇しながら圧縮ホルダー(14)によって収容部が圧縮されるに従い、図4に表した様に開閉バルブ(29)の傾斜面(29c)が閉鎖していた内側孔(30)より離脱されて内側孔(30)が開放され、上記中間部材(28)の周囲部に介在されたスプリング(34)は圧縮された状態であるようになる。
【００１７】
この様に内側孔(30)が開放された状態で本発明の液状容器(1)を逆さまにしてやる事で、内側胴体(10)の収容部(11)に収容された液状の化粧品が上記開閉バルブ(29)の上下部に形成された垂直・水平吐出誘導溝(29a)(29b)及び溶液移送路(36)を通って吐出具(54)を経て移送されてブラシ(56)側に吐出される様になる。
【００１８】
この様にブラシ(56)側に吐出された液状の化粧品はブラシ(56)に適正量が付けられる様にして化粧をすることになる。
【００１９】
そして、化粧が終った後に内側胴体(10)を押えていた力を解除してやれば中間部材(28)に形成されていた円錐形弾性部(33)が膨脹されながら内側胴体(10)が下降するにともない開閉バルブ(29)の傾斜面(29c)が内側孔(30)を閉鎖し、収容部(11)に収容された化粧溶液が内側孔(30)を通じて吐出されるのを防止することになるから、未使用時に化粧溶液が漏出されるのを防止する。
【００２０】
また、上記中間部材(28)の周囲部に配置されたスプリング(34)は常に弾発する性質によって円錐形弾性部(33)が膨脹されながら内側胴体(10)を下降させることを補助して内側胴体(10)が元の状態に容易に復帰する様に助けてくれる。
【００２１】
一方、上記の内側胴体(10)の収容部(11)に内設された圧縮ホルダー(14)は内側胴体(10)が下降をしても収容部(11)が圧縮状態であるので内側胴体(10)と共に下降することはなく、その場所に止まった状態でいるので、内側胴体(10)の繰り返し的な押さえ動作にしたがって上記圧縮ホルダー(14)は内側胴体(10)の上部に少しずつ移動し、収容部(11)の内部を真空状態になるようにする。
【００２２】
このように、上記の様に構成された本発明は内側胴体(10)の押すことと、その押し込みの解除によって中間部材(28)に形成された円錐状弾性部(33)が膨脹及び圧縮しながら上記中間部材(28)の内側に内設された開閉バルブ(29)によって内側孔(23)が開閉されるようにしたもので、化粧(染め付け)をするために内側胴体(10)を押せば内側孔(30)が開放されるようにして化粧溶液の吐出を容易にし、内側胴体(10)に加えた力を解除すれば内側孔(30)が閉鎖されるようにする。
【００２３】
また、上記の内側胴体(10)と結合部材(24)はねじ結合されて構成されているので、組立・解体が容易で内側胴体(10)に収容された化粧溶液の消尽時に内側胴体(10)を分離して、内側胴体(10)と結合部材(24)とのねじ結合を解いて化粧溶液を補充することにより、再充填使用が可能なものである。
【００２４】
なお、上述の本発明の説明図面では便宜上ブラシ(56)部分を上部に向けた状態で図示して説明しているが、実際使用時にはブラシ(56)部分が下部に向かうようにして使用するものである。
【００２５】
図５は本発明に係る第２実施例のを示す断面図、図６は本発明に係る第２実施例の内側胴体を押し上げた状態の断面図を示す。内側胴体(10)の上部にねじ結合される結合部材(24)と開閉バルブ(29)を持つ中間部材(28)及び嵌込み部材(35)で結合構成される吐出誘導具(20)を持つ化粧用液状容器(1a)において、上部中央には結合部材孔(25)を形成させて周囲部にチューブ結合部(26a)が形成され、下部には上記内側胴体(10)の内側上部に結合されるねじ結合部(27)が形成された結合部材(24)と、上記結合部材(24)の上部に形成されるが、内側に開閉バルブ(29)が内設される内側孔(30)が形成されて上部に内側嵌込み部(31a)が形成され、周囲部に外側嵌込み部(31b)が形成されて皺形チューブ(33a)の上端部が挟まれ固定され、上記皺形チューブ(33a)の下端部は上記結合部材(24)に形成されたチューブ結合部(26a)に嵌込み結合された中間部材(28)と、上記中間部材(28)の内側嵌込み部(31a)に下端部が嵌込み安着され外側胴体(50)の上部内側に形成された嵌込み部(52)に溶液移送路(36)が嵌込みされる嵌込み部材(35)で結合された吐出誘導具(20a)で構成されたことを特徴とする。
【００２６】
上記の様に構成された第２実施例の化粧品容器(１)も、内側胴体(10)を押してやる事によって内側胴体(10)が上・下昇降しながら発生する空気圧によって中間部材(28)を構成する皺形チューブ(33a)が圧縮されると同時に開閉バルブ(29)が移動されながら内側孔(30)が開放されて液状の化粧溶液が上記開閉バルブ(29)の上・下部に形成された垂直・水平吐出誘導溝(29a)(29b)及び溶液移送路(36)を経由して吐出具(54)を通じて移送されてブラシ(56)側に吐出させる。そして、操作力を解除すると、上記円錐状弾性部(33)の膨張力によって内側胴体(10)が下降して復帰することに伴って、開閉バルブ(29)の上部に形成された傾斜面(29c)によって内側孔(30)が閉鎖されて化粧溶液が吐出されないようにすることで、上記内側胴体(10)の押すことと解除によって中間部材(28)に形成された皺形チューブ(33a)が圧縮及び弾発して化粧溶液の吐出及び遮断を自由に調節する事が出来る様にしたものである。
【００２７】
図７は本発明に係る第３実施例の断面図、図８は本発明による第３実施例の内側胴体を押し上げた状態の断面図を表わしたもので、内側胴体(10)の上部にねじ結合される結合部材(24)と開閉バルブ(29)を持つ中間部材(28)及び嵌込み部材(35)で結合構成される吐出誘導具(20)を持つ化粧用液状容器(1b)において、上記内側胴体(10)と吐出誘導具(20)が結合された上部に含湿体(57)とブラシ(56)を具備した外側胴体(50)とが結合され、上記外側胴体(50)の上部に櫛刃(59)が具備された櫛胴体(58)を配置して構成したことを特徴とする。上記の様に構成された液状容器(１)を逆さまにしてやることで、内側胴体(10)の収容部(11)に収容された液状の化粧品、例えば、髪染め薬が内側孔(30)を経由してブラシ(56)側に吐出されるようになる。
【００２８】
このように含湿体(57)に吐出されて含湿された液状の化粧品は、ブラシ(56)に適正量が付けられるようにして上記ブラシ(56)と櫛胴体(58)に形成された櫛刃(59)を利用して髪染めのような化粧をする事ができるようになる。
【００２９】
図９は本発明に係る第４実施例の断面図、図１０は本発明に係る第４実施例の内側胴体を押し上げた状態の断面図を表わしたもので、内側胴体(10)の上部にねじ結合される結合部材(24)と開閉バルブ(29)を持つ中間部材(28)及び嵌込み部(35)で結合構成される吐出誘導具(20)を持つ化粧用液状容器(1c)において、上記内側胴体(10)の上部に外側胴体(50)を嵌込み結合するが、上記外側胴体(50)の上部に含湿体(57)が内設され、吐出孔(59b)及び水平櫛刃(59a)が具備された円筒形櫛胴体(58a)が嵌込みされて結合構成されたことを特徴としている。このように構成された液状容器(１)を逆さまにしてやることで、内側胴体(10)の収容部(11)に収容された液状の化粧品、例えば、髪染め薬が内側孔(30)を経由して含湿体(57)側に吐出されるようになる。
【００３０】
このように含湿体(57)に吐出されて含湿された液状の化粧品は吐出孔(59b)を通じて適正量が吐出されて水平櫛刃(59a)を利用して髪染めのような化粧をするようになる。
【００３１】
図１１は本発明による第５実施例の主要部拡大断面図、図１２は本発明による第５実施例の内側胴体を押し上げた状態での主要部拡大断面図を表わしたもので、内側胴体(10)の上部にねじ結合される結合部材(24)と開閉バルブ(29)を持つ中間部材(28)及び嵌込み部材(35)で結合構成される吐出誘導具(20)を持つ化粧用液状容器(1d)において、上記吐出誘導具(20)を形成する嵌込み部材(35)の上部に水平噴射孔(59c)を具備した噴射胴体(58b)が嵌込み結合構成されたことを特徴としている。
【００３２】
上記の様に構成された液状容器(１)は噴射胴体(58b)を押してやることによって噴射胴体(58b)が上・下昇降しながら内側胴体(10)の内部に空気圧を加えると同時に中間部材(28)を構成する円錐形弾性部(33)が圧縮されて開閉バルブ(29)が移動されながら内側孔(30)が開放されて液状の化粧溶液が水平噴射孔(59c)を通じて噴射されるようにしたものである。従がて、上記の化粧用液状容器(1a)(1b)(1c)(1d)は本発明の化粧用液状容器(１)と同一及び類似な作用及び效果を表わすもので具体的な説明は省略する。
【図面の簡単な説明】
【００３３】
【図１】本発明に係る第１実施例の蓋を開いて見せた状態での斜視図である。
【図２】本発明に係る第１実施例の分解斜視図である。
【図３】本発明に係る第１実施例の結合状態での断面図である。
【図４】本発明に係る第１実施例の内側胴体を押し上げた状態での縦断面図である。
【図５】本発明に係る第２実施例の結合状態での断面図である。
【図６】本発明に係る第２実施例の内側胴体を押し上げた状態での縦断面図である。
【図７】本発明に係る第３実施例の主要部拡大断面図である。
【図８】本発明に係る第３実施例の内側胴体を押し上げた状態での主要部拡大断面図である。
【図９】本発明に係る第４実施例の主要部拡大断面図である。
【図１０】本発明に係る第４実施例の内側胴体を押し上げた状態での主要部拡大断面図である。
【図１１】本発明による第５実施例の主要部拡大断面図である。
【図１２】本発明による第５実施例の内側胴体を押し上げた状態での主要部拡大断面図である。
【符号の説明】
【００３４】
１、1a, 1b, 1c, 1d   ； 容器、
10                   ； 内側胴体、
11                   ； 収容部、
12                   ； 内側ねじ部、
14                   ； 圧縮ホルダー、
15                   ； 密閉リング、
20、20a              ； 吐出誘導具、
24                   ； 結合部材、
25                   ； 結合部材孔、
26                   ； 中間部材結合部、
26a                  ； チューブ結合部、
27                   ； ねじ結合部、
28                   ； 中間部材、
29                   ； 開閉バルブ、
29a                  ； 垂直吐出誘導溝、
29b                  ； 水平吐出誘導溝、
29c                  ； 傾斜面、
30                   ； 内側孔、
31                   ； 上部外側ねじ部、
32                   ； 下部外側ねじ部、
33                   ； 円錐形弾性部、
33a                  ； 皺形チューブ、
34                   ； スプリング、
35                   ； 嵌込み部材、
36                   ； 溶液移送路、
37                   ； 下部内側ねじ部、
50                   ； 外側胴体、
52                   ； 嵌込み部、
54                   ； 吐出具、
56                   ； ブラシ、
57                   ； 含湿体、
58                   ； 櫛胴体、
58a                  ； 円筒形櫛胴体、
58b                  ； 噴射胴体、
59                   ； 櫛刃、
59a                  ； 水平櫛刃、
59b                  ； 吐出孔、
59c                  ； 水平噴射孔、
60                   ； 蓋 。
【図１】
2008023310.tif 000003
【図２】
2008023310.tif 000004
【図３】
2008023310.tif 000005
【図４】
2008023310.tif 000006
【図５】
2008023310.tif 000007
【図６】
2008023310.tif 000008
【図７】
2008023310.tif 000009
【図８】
2008023310.tif 000010
【図９】
2008023310.tif 000011
【図１０】
2008023310.tif 000012
【図１１】
2008023310.tif 000013
【図１２】
2008023310.tif 000014